【手続補正書】
【提出日】平成17年2月14日(2005.2.14)
【手続補正１】
【補正対象書類名】明細書
【補正対象項目名】特許請求の範囲
【補正方法】変更
【補正の内容】
【特許請求の範囲】
【請求項１】  以下の構造を有する化合物およびその薬学的に受容可能な塩：
【化１】
2002503674.tif 000001
ここで、
Ａは、−Ｃ（＝Ｏ）−、−（ＣＨ2）0-4−、−Ｃ（＝Ｏ）（ＣＨ2）1-3−、−（ＣＨ2）1-2Ｏ−および−（ＣＨ2）1-2Ｓ−から選択され；
Ｂは、ＮおよびＣＨから選択され；
Ｃは、−Ｃ（＝Ｏ）−、−Ｃ（＝Ｏ）（ＣＨ2）1-3−、−（ＣＨ2）0-3−、−Ｏ−、−Ｓ−、−Ｏ−（ＣＨ2）1-2−および−Ｓ（ＣＨ2）1-2−から選択され；
Ｄは、ＮおよびＣ（Ｒ4）から選択され；
Ｅは、
【化２】
2002503674.tif 000002
から選択され；
Ｒ1、Ｒ3およびＲ4は、アミノ酸側鎖部分およびその誘導体から独立して選択され；
Ｒ2およびＲ2’は、アミノ酸側鎖部分およびその誘導体からそれぞれ選択される１個以上の環置換基を表し、ここで、少なくとも１個のＲ2はＣと一緒になって、縮合した置換または非置換の単素環式環または複素環式環を形成し；
Ｒ’は、環置換基であり；
ＹおよびＺは、分子の残余を表し；そして
二環式環の任意の２個の隣接するＣＨ基は、二重結合を形成し得る。
【請求項２】  Ｅが、
【化３】
2002503674.tif 000003
である、請求項１に記載の化合物。
【請求項３】  Ｅが、
【化４】
2002503674.tif 000004
である、請求項１に記載の化合物。
【請求項４】  Ｅが、
【化５】
2002503674.tif 000005
であるが、但し、ＺはＲ1置換基を有する炭素原子に結合した−ＮＨ−部分を含まない、請求項１に記載の化合物。
【請求項５】  以下の構造を有する請求項１に記載の化合物：
【化６】
2002503674.tif 000006
。
【請求項６】  以下の構造を有する請求項１に記載の化合物：
【化７】
2002503674.tif 000007
ここで、Ｘは、−Ｃ（＝Ｏ）−、−ＮＨ−、−ＮＲ’−、−Ｏ−および−Ｓ−から選択される。
【請求項７】  以下の構造を有する化合物およびその薬学的に受容可能な塩：
【化８】
2002503674.tif 000008
ここで、
Ａは、−Ｃ（＝Ｏ）−、−（ＣＨ2）0-4−、−Ｃ（＝Ｏ）（ＣＨ2）1-3−、−（ＣＨ2）1-2Ｏ−および−（ＣＨ2）1-2Ｓ−から選択され；
Ｂは、ＮおよびＣＨから選択され；
Ｃは、−Ｃ（＝Ｏ）−、−Ｃ（＝Ｏ）（ＣＨ2）1-3−、−（ＣＨ2）0-3−、−Ｏ−、−Ｓ−、−Ｏ−（ＣＨ2）1-2−および−Ｓ（ＣＨ2）1-2−から選択され；
Ｄは、ＮおよびＣ（Ｒ4）から選択され；
Ｅは、
【化９】
2002503674.tif 000009
から選択され；
Ｒ1、Ｒ3およびＲ4は、アミノ酸側鎖部分およびその誘導体から独立して選択され；
Ｒ2およびＲ2’は、アミノ酸側鎖部分およびその誘導体からそれぞれ選択される１個以上の環置換基を表し、ここで、少なくとも１個のＲ2はＣと一緒になって、縮合した置換または非置換の単素環式環または複素環式環を形成し；
Ｒ’は、環置換基であり；
ＹおよびＺは、分子の残余を表し；そして
二環式環の任意の２個の隣接するＣＨ基は、二重結合を形成し得る。
【請求項８】  Ｅが、
【化１０】
2002503674.tif 000010
である、請求項７に記載の化合物。
【請求項９】  Ｅが、
【化１１】
2002503674.tif 000011
である、請求項７に記載の化合物。
【請求項１０】  Ｅが、
【化１２】
2002503674.tif 000012
であるが、但し、ＺはＲ1置換基を有する炭素原子に結合した−ＮＨ−部分を含まない、請求項７に記載の化合物。
【請求項１１】  以下の構造を有する請求項７に記載の化合物：
【化１３】
2002503674.tif 000013
。
【請求項１２】  以下の構造を有する請求項７に記載の化合物：
【化１４】
2002503674.tif 000014
ここで、Ｘは、−ＮＨ−、−ＮＲ’−、−Ｏ−および−Ｓ−から選択され、Ｘを有する前記環は、５員環、６員環、７員環または８員環である。
【請求項１３】  請求項１〜１２のうちのいずれか１項に記載の化合物であって、ＹおよびＺは、アミノ酸側鎖部分もしくはその誘導体、ペプチド、タンパク質であるか、または以下：
【化１０１】
2002503674.tif 000015
からなる群より選択され、
Ｘ’は、Ｃｌ、Ｆ，Ｂｒ、またはＩであり、Ｒの各存在は、低級鎖アルキル部分、低級鎖アリール部分および低級鎖アラルキル部分、または複素環式部分から独立して選択される、化合物。
【請求項１４】  請求項１〜１２のうちのいずれか１項に記載の化合物であって、ＹおよびＺは、
−Ｘ−Ｒ６、−Ｘ−Ｒ７、−Ｘ−Ｎ（Ｒ８）２、−Ｘ−Ｏ−Ｒ９、および−Ｘ−Ｓ（Ｏ）ｐＲ１０
からなる群より選択され、
Ｘは、必要に応じて存在し、かつＸは、直鎖もしくは分枝鎖の、環状もしくは非環状の、飽和もしくは不飽和の、Ｃ１〜１２アルキルから選択され、該Ｃ１〜１２アルキルは、ハロゲン、＝Ｏ、ＯＲ、ＯＮＲＲ、Ｃ（Ｏ）Ｒ、Ｃ（Ｏ）ＯＲ、ＣＮ、ＯＣ（Ｏ）Ｒ、Ｃ（Ｏ）ＮＲＲ、Ｃ（Ｏ）ＮＲＯＲ、ＮＨ２、ＮＯ２、ＮＨＯＲ、Ｃ（ＮＲ）、ＮＨＲ、Ｃ（ＮＲ）ＮＨＲ、ＮＨＣ（ＮＲ）ＮＨＲ、Ｐ（ＯＲ）３およびＳｉＲＲＲから選択される１つ以上の置換基で必要に応じて置換され；
Ｒ６は、Ｈ、ＣＮ、ＮＯ２、ＳｉＲＲＲ、およびＰ（ＯＲ）３から選択され；
Ｒ７は、Ｃ５〜１4アリール、Ｃ４〜１３ヘテロアリール、Ｃ３〜１４シクロアルキル、Ｃ５〜１４シクロアルキレン、およびＣ２〜１３ヘテロシクロアルキルから選択され、該Ｒ７は、各々、Ｘ、ハロゲン、ＯＲ、ＯＮＲＲ、Ｃ（Ｏ）Ｒ、Ｃ（Ｏ）ＯＲ、ＣＮ、ＯＣ（Ｏ）Ｒ、ＮＲ２、Ｃ（Ｏ）ＮＲＲ、Ｃ（Ｏ）ＮＲＯＲ、ＮＲＣ（Ｏ）Ｒ、Ｃ（ＮＲ）ＮＨＲ、ＮＨＣ（ＮＲ）ＮＨＲ、ＮＯ２ＳＯ２Ｒ、ＳＯ２ＮＲＲ、ＳｉＲＲＲ、ＯＰ（ＯＲ）３、ＣＨ２Ｐ（ＯＲ）３およびＣＦ２Ｐ（ＯＲ）３から選択される１つ以上の置換基で必要に応じて置換され得；
Ｒ８は、各存在で、Ｈ、Ｘ、Ｒ７、ハロゲン、ＯＲ、＝Ｃ＝Ｏ、Ｃ（Ｏ）Ｒ、Ｃ（Ｏ）ＯＲ、ＣＮ、ＯＣ（Ｏ）Ｒ、ＮＲ２、Ｃ（Ｏ）ＮＲＲ、ＮＲＣ（Ｏ）Ｒ、Ｃ（ＮＲ）ＮＨＲ、ＮＯ２、ＳＯ２Ｒ、ＳＯ２ＮＲＲ、ＳｉＲＲＲおよびＰ（ＯＲ）３から独立して選択されるか、または一緒になって、飽和もしくは不飽和のＣ２〜１４シクロアルキルを形成し得、該飽和もしくは不飽和のＣ２〜１４シクロアルキルは、＝Ｏ、Ｘ、Ｒ７、ハロゲン、ＯＲ、＝Ｃ＝Ｏ、Ｃ（Ｏ）Ｒ、Ｃ（Ｏ）ＯＲ、ＣＮ、ＯＣ（Ｏ）Ｒ、ＮＲ２、Ｃ（Ｏ）ＮＲＲ、ＮＲＣ（Ｏ）Ｒ、Ｃ（ＮＲ）ＮＨＲ、ＮＯ２ＳＯ２Ｒ、ＳＯ２ＮＲＲ、ＳｉＲＲＲおよびＰ（ＯＲ）３から選択される１つ以上の置換基で必要に応じて置換され；
Ｒ９は、Ｈ、Ｘ、Ｒ７、ハロゲン、Ｃ（Ｏ）Ｒ、Ｃ（Ｏ）ＯＲ、ＣＮ、ＮＲ２、Ｃ（Ｏ）ＮＲＲ、ＮＲ（Ｃ）ＯＲ、Ｃ（ＮＲ）ＮＨＲ、ＮＯ２、ＳＯ２Ｒ、ＳＯ２ＮＲＲＲ、ＳｉＲＲＲおよびＰ（ＯＲ）３から選択され、ここでｐ＝０〜２であり；
Ｒ１０は、Ｈ、Ｘ、Ｒ７、ハロゲン、ＯＲ、Ｃ（Ｏ）Ｒ、Ｃ（Ｏ）ＯＲ、ＣＮ、ＮＲ２、およびＣ（Ｏ）ＮＲＲから選択され；
上記のＲ６〜Ｒ１０の定義におけるＲは各存在は、Ｈ、Ｃ１〜６アルキル、Ｃ３〜１４シクロアルキル、Ｃ５〜１４シクロアルキレン、Ｃ６〜１４アリール、Ｃ４〜１３ヘテロアリール、およびＣ２〜１３ヘテロシクロアルキルから独立して選択されるか、または２つのＲ基が存在する場合は、一緒になって、飽和もしくは不飽和のＣ２〜８シクロアルキルを形成する、化合物。
【請求項１５】  構造
【化１０２】
2002503674.tif 000016
を有する化合物、またはその薬学的に受容可能な塩。
【請求項１６】  構造
【化１０３】
2002503674.tif 000017
を有する化合物、またはその薬学的に受容可能な塩。
【請求項１７】  治療において使用するための請求項１〜１６のうちのいずれか１項に記載の化合物。
【請求項１８】  心臓血管疾患、炎症疾患、または腫瘍または癌の処置のための医薬の製造のための、請求項１〜１６のうちのいずれか１項に記載の化合物の使用。
【請求項１９】  請求項１〜１６のうちのいずれか１項に記載の化合物と薬学的に受容可能なキャリアとを含む、組成物。